(57)【特許請求の範囲】
【請求項１】
表面にテンキーが配備された第１筐体と、第１筐体の表面に沿ってスライド可能な第２筐体とを具え、第２筐体は、第１筐体のテンキーを覆う閉じ位置と、第２筐体のテンキーを露出させる開き位置との間を往復移動することが可能であるスライド式携帯電話機において、
第１筐体の表面には、発光手段が設けられると共に、第２筐体には、前記開き位置にて前記発光手段と対向する面に、前記発光手段からの光を反射する反射部が設けられ、前記発光手段は、第２筐体の端面付近へ向けて光を出射すると共に前記反射部へ向けて光を出射する様に配置され、前記反射部は、前記発光手段からの光を反射して第２筐体の端面付近を光らせるように配置されていることを特徴とするスライド式携帯電話機。
【請求項２】
前記発光手段は、発光素子と導光部材からなり、発光素子からの光は、導光部材を介して第２筐体の端面付近を光らせ、或いは、導光部材を介して第２筐体にある反射部で反射した光は再び導光部材に戻り、導光部材の底面部分で再反射し、第２筐体の端面付近を光らせる請求項１に記載のスライド式携帯電話機。
【請求項３】
前記導光部材は、前記開き位置に第２筐体が設置されたときに第２筐体から臨出する端部を有し、該端部から第２筐体の端面付近へ光を出射させる請求項２に記載のスライド式携帯電話機。
【請求項４】
前記導光部材には、前記端部の裏面に、光を反射して前記端部から出射させる光反射層が形成されている請求項３に記載のスライド式携帯電話機。
【請求項５】
表面に複数の操作キー(21)が配備されたベース筐体(２)と、表面にディスプレイ(11)が配備されたスライド筐体(１)とが、互いにスライド可能に係合し、スライド筐体(１)は、ベース筐体(２)の複数の操作キー(21)を覆う閉じ位置と、ベース筐体(２)の複数の操作キー(21)を露出させる開き位置との間を往復移動することが可能なスライド式携帯電話機において、
ベース筐体(２)の表面には、スライド筐体(１)が開き位置に設置されることによって露出する第１表面領域と、スライド筐体(１)が開き位置に設置されても該スライド筐体(１)によって覆われたままの第２表面領域との境界線に沿って、導光部材(３)が設置されると共に、ベース筐体(２)の内部には、導光部材(３)の第２表面領域側の端部へ向けて光を出射する発光素子(４)が配備され、スライド筐体(１)には、開き位置に設置されたときに導光部材(３)の表面と対向する位置に、導光部材(３)を通過した光を導光部材(３)の第１表面領域側の端部へ向けて反射する反射板(５)が配備されていることを特徴とするスライド式携帯電話機。
【請求項６】
導光部材(３)の第１表面領域側の端部は、スライド筐体(１)が開き位置に設置されたときに該スライド筐体(１)の端面(13)から臨出する位置に設けられ、複数の操作キー(21)が配備されているベース筐体(２)のキー操作面と近接している請求項５に記載のスライド式携帯電話機。
【請求項７】
導光部材(３)には、第１表面領域側の端部の裏面に、光反射層(６)が形成されている請求項５又は請求項６に記載のスライド式携帯電話機。
【請求項８】
導光部材(３)は、ベース筐体(２)の第１表面領域と第２表面領域との境界線に沿って伸びる長板状を呈している請求項５至請求項７の何れかに記載のスライド式携帯電話機。
【発明の詳細な説明】
【技術分野】
【０００１】
本発明は、ベース筐体とスライド筐体が互いにスライド可能に係合してなるスライド式携帯電話機に関するものである。
【背景技術】
【０００２】
スライド式携帯電話機は、図９に示す如く、表面に複数の操作キー(81)が配備されたべース筐体(８)と、表面にディスプレイ(91)と複数の操作キー(94)が配備されたスライド筐体(９)とを具え、スライド筐体(９)は、ベース筐体(８)の複数の操作キー(81)を覆う閉じ位置と、べース筐体(８)の複数の操作キー(81)を露出させる開き位置との間で、往復移動することが可能となっている。
【０００３】
この様なスライド式携帯電話機においては、図９の如くスライド筐体(９)が開き位置に設置された状態で、複数の操作キー(81)が配備されているキー操作面を照明することにより、特に夜間における操作性を良好なものとすることが行なわれている。
【０００４】
又、図９に示すスライド式携帯電話機においては、スライド筐体(９)が第２の設置された状態でべース筐体(８)の表面から立ち上がるスライド筐体(９)の端面(93)に、べース筐体(８)のキー操作面を照らす照明(92)を配備することによって、操作キー(81)の視認性を高める構成が採用されている(特許文献１)。
【０００５】
ところで、スライド式携帯電話機においては、べース筐体(８)が開き位置に設置された状態で、べース筐体(８)の表面とスライド筐体(９)の表面の間に段差が形成されており、キー操作面は、べース筐体(８)の表面、即ち段差の低位側に位置しているため、操作キー(81)の操作時にスライド筐体(９)の端面(93)に指先が当たる虞がある。従って、べース筐体(８)のキー操作面の終端位置についてのユーザの認識が操作性を左右することになる。
【０００６】
図９に示すスライド式携帯電話機によれば、スライド筐体(９)の端面(93)に照明(92)が配備され、該照明(92)によってべース筐体(８)のキー操作面の終端位置をユーザに明示することが可能である。
【特許文献１】特開２００６−１２９１６８号公報［H04M1/22］
【発明の開示】
【発明が解決しようとする課題】
【０００７】
しかしながら、図９に示す従来のスライド式携帯電話機においては、スライド筐体(９)の端部に照明(92)を配備する構成が採られているため、スライド筐体(９)の端部には、複数の操作キー(94)を配備するためのスペースの他、照明(92)を配備するためのスペースを確保する必要があり、この結果、スライド筐体(９)が大型化する問題があった。
【０００８】
そこで、本発明の目的は、ベース筐体(２)とスライド筐体(１)からなるスライド式携帯電話機において、ベース筐体(２)のキー操作面の終端位置をユーザに明示することが出来、然も大型化を招くことのないスライド式携帯電話機を提供することである。
【課題を解決するための手段】
【０００９】
本発明に係るスライド式携帯電話機は、第１筐体と第２筐体からなるスライド構造で構成され、第１筐体には、スライドを閉じたときに第２筐体により覆い隠されるテンキーを具え、更に第１筐体には、第２筐体の端面付近を光らす発光手段を具え、前記発光手段に対向する第２筐体の面には、光を反射する反射部を設け、前記発光手段は、第２筐体の端面付近へ向けて光を出射すると共に前記反射部へ向けて光を出射する様に配置され、前記反射部は、前記発光手段からの光を反射して第２筐体の端面付近を光らせるように配置されている。
【００１０】
ここで、前記発光手段は、発光素子と導光部材からなり、発光素子からの光は、導光部材を介して第２筐体の端面付近を光らせ、或いは、導光部材を介して第２筐体にある反射部で反射した光は再び導光部材に戻り、導光部材の底面部分で再反射し、第２筐体の端面付近を光らせる。
【００１１】
又、本発明に係るスライド式携帯電話機は、より具体的な構成において、表面に複数の操作キー(21)が配備されたベース筐体(２)と、表面にディスプレイ(11)が配備されたスライド筐体(１)とを具え、スライド筐体(１)は、ベース筐体(２)の複数の操作キー(21)を覆う閉じ位置と、ベース筐体(２)の複数の操作キー(21)を露出させる開き位置との間を往復移動することが可能となっている。
【００１２】
ここで、ベース筐体(２)の表面には、スライド筐体(１)が開き位置に設置されることによって露出する第１表面領域Ｘと、スライド筐体(１)が開き位置に設置されても該スライド筐体(１)によって覆われたままの第２表面領域Ｙとの境界線に沿って、導光部材(３)が設置されると共に、ベース筐体(２)の内部には、導光部材(３)の第２表面領域側の端部へ向けて光を出射する発光素子(４)が配備されている。
一方、スライド筐体(１)には、開き位置に設置されたときに導光部材(３)の表面と対向する位置に、導光部材(３)を通過した光を導光部材(３)の第１表面領域側の端部へ向けて反射する反射板(５)が配備されている。
【００１３】
上記本発明のスライド式携帯電話機においては、スライド筐体(１)が開き位置に設置された状態で、発光素子(４)から発せられた光は、導光部材(３)の第２表面領域側の端部へ入射し、その一部の光は、導光部材(３)の内部を第１表面領域側の端部に向かって進行した後、第１表面領域側の端部の表面から、ベース筐体(２)のキー操作面側へ出射される。又、導光部材(３)へ入射した光の内、残りの光は導光部材(３)を通過した後、スライド筐体(１)に配備されている反射板(５)によって反射され、導光部材(３)の第１表面領域側の端部へ戻ってくる。そして、その光は、導光部材(３)の底面にて再度反射され、第１表面領域側の端部の表面から、ベース筐体(２)のキー操作面側へ出射される。
この結果、導光部材(３)の第１表面領域側の端部が明るく発光し、ベース筐体(２)のキー操作面の終端位置が明示されることになる。
【００１４】
具体的構成において、導光部材(３)の第１表面領域側の端部は、スライド筐体(１)が開き位置に設置されときに該スライド筐体(１)の端面(13)から臨出する位置に設けられ、複数の操作キー(21)が配備されているベース筐体(２)のキー操作面と近接している。
該具体的構成によれば、導光部材(３)の端部がスライド筐体(１)の端面(13)から臨出しているので、該端部が明るく発光することにより、充分な照度でキー操作面の終端位置が明示されることになる。
【００１５】
他の具体的な構成において、導光部材(３)には、第１表面領域側の端部の裏面に、光反射層(６)が形成されている。
該具体的構成によれば、反射板(５)により反射されて導光部材(３)の第１表面領域側の端部へ戻ってきた光が、導光部材(３)の底面にて光反射層(６)により高い反射率で反射されるので、第１表面領域側の端部からスライド筐体(１)のキー操作面側へ出射される光は、充分な光量を有するものとなる。
【００１６】
更に具体的な構成において、導光部材(３)は、ベース筐体(２)の第１表面領域と第２表面領域との境界線に沿って伸びる長板状を呈している。
該具体的構成によれば、導光部材(３)の第１表面領域側の端部が、ベース筐体(２)の第１表面領域と第２表面領域との境界線に沿って明るく発光するので、ベース筐体(２)のキー操作面の終端位置が境界線として明示されることになる。
【発明の効果】
【００１７】
本発明に係るスライド式携帯電話機によれば、導光部材(３)の端部を明るく発光させることにより、ベース筐体(２)のキー操作面の終端位置をユーザに明示することが可能である。ここで、発光素子(４)はベース筐体(２)に配備されており、スライド筐体(１)には反射板(５)が設置されているに過ぎないので、スライド筐体(１)の大型化を招くことはない。又、発光素子(４)は、ベース筐体(２)の操作キー(21)が配備されている領域から充分に離間した位置に配置したとしても、該発光素子(４)から発せられた光は、導光部材(３)及び反射板(５)により、導光部材(３)の第１表面領域側の端部へ導かれるので、この様な発光素子(４)の配置によってベース筐体(２)の小型化が可能である。
【発明を実施するための最良の形態】
【００１８】
以下、本発明の実施の形態につき、図面に沿って具体的に説明する。
本発明に係るスライド式携帯電話機は、図１〜図３に示す如く、表面に複数の操作キー(21)が配備されたベース筐体(２)と、表面にディスプレイ(11)と複数の操作キー(12)が配備されたスライド筐体(１)とを具え、ベース筐体(２)に対してスライド筐体(１)がスライド可能に係合している。
これによって、スライド筐体(１)は、図１の如くベース筐体(２)の複数の操作キー(21)を覆う閉じ位置と、図２及び図３の如くベース筐体(２)の複数の操作キー(21)を露出させる開き位置との間を往復移動することが可能となっている。
【００１９】
又、ベース筐体(２)とスライド筐体(１)の間には図５に示す如く付勢機構(10)が介在し、スライド筐体(１)を閉じ位置と開き位置に向けて付勢している。
【００２０】
図２及び図４に示す如く、ベース筐体(２)の表面には、スライド筐体(１)が開き位置に設置されることによって露出する第１表面領域(図３に示す領域Ｘ)と、スライド筐体(１)が開き位置に設置されても該スライド筐体(１)によって覆われたままの第２表面領域(図３に示す領域Ｙ)との境界線に沿って、横方向に長い長板状の導光部材(３)が設置されている。
【００２１】
導光部材(３)は、図８に示す如く透光性部(31)と非透光性部(32)からなる樹脂成型品であって、透光性部(31)内にて光を導くと共に、透光性部(31)と非透光性部(32)の境界面で光を反射するものであり、スライド筐体(１)が開き位置に設置された状態で、導光部材(３)の透光性部(31)の端部が図２の如くスライド筐体(１)の端面(13)から僅かに臨出する。
【００２２】
図６に示す如く、ベース筐体(２)は、複数の操作キー(21)が配備された本体(22)と、該本体(22)を覆うカバー(23)とから構成され、該カバー(23)の中央部に、導光部材(３)が嵌合する凹部(25)が形成されると共に、該凹部(25)の中央部にスリット孔(24)が開設されている。
又、ベース筐体(２)の本体(22)には、カバー(23)に設置された導光部材(３)と対向する位置に、ＬＥＤからなる発光素子(４)が配備され、該発光素子(４)は、図７に示す如く導光部材(３)の透光性部(31)の第２表面領域側の端部に対向している。
【００２３】
一方、スライド筐体(１)には、図５及び図７に示す如く、スライド筐体(１)が開き位置に設置されたときに導光部材(３)の表面と対向する位置に、反射板(５)がベース筐体(２)の第１表面領域に向けて僅かな仰角を有する姿勢で配備されている。
又、図７に示す如く、導光部材(３)には、ベース筐体(２)の第１表面領域側の端部の裏面に、アルミニウム蒸着によって光反射層(６)が形成されている。
【００２４】
上記本発明のスライド式携帯電話機においては、図８の如く、スライド筐体(１)が開き位置に設置された状態で、発光素子(４)から発せられた光は、導光部材(３)の透光性部(31)の第２表面領域側の端部へ入射し、その一部の光は、導光部材(３)の内部を第１表面領域側の端部に向かって進行した後、第１表面領域側の端部の表面から、ベース筐体(２)のキー操作面側へ出射される。又、導光部材(３)へ入射した光の内、残りの光は導光部材(３)を通過した後、スライド筐体(１)に配備されている反射板(５)によって反射され、導光部材(３)の第１表面領域側の端部へ戻ってくる。そして、その光は、導光部材(３)の底面にて再度反射され、第１表面領域側の端部の表面から、ベース筐体(２)のキー操作面側へ出射される。
【００２５】
ここで、導光部材(３)は、第１表面領域側の端部がスライド筐体(１)の端面(13)から僅かに臨出しているので、該端部が明るく発光することにより、充分な照度でベース筐体(２)のキー操作面の終端位置が明示されることになる。
【００２６】
上記本発明のスライド式携帯電話機においては、発光素子(４)がベース筐体(２)に配備されており、スライド筐体(１)には反射板(５)が設置されているに過ぎないので、スライド筐体(１)の大型化を招くことはない。
又、発光素子(４)は、ベース筐体(２)の操作キー(21)が配備されているスペースから充分に離間した位置に配置されており、該発光素子(４)から発せられた光は、導光部材(３)及び反射板(５)により、導光部材(３)の第１表面領域側の端部へ導かれるので、この様な発光素子(４)の配置によってベース筐体(２)の薄型化が図られている。
【００２７】
更に、上記本発明のスライド式携帯電話機においては、例えば、大型のディスプレイに画像や映像を表示したり、ＷＥＢ画面を表示したり、ゲームなどの付加的機能を実行したりしているときでも、着信、メール受信、アラームなどのイベントを、スライド筐体とベース筐体が開いた状態でその筐体の境界付近を発光させることにより報知することが出来るので、使用者にとって分かり易い報知が可能である。
又、そのイベントの報知のとき、表示された画像や映像などの画面は、そのまま表示し続けることが出来、イベント報知に邪魔されることがない。境界付近の発光によるイベント報知の際には、表示されている画面をそのイベント報知に関する画面に変更してもよい。
【００２８】
尚、本発明の各部構成は上記実施の形態に限らず、特許請求の範囲に記載の技術的範囲内で種々の変形が可能である。例えば、反射板(５)の僅かな仰角を有する姿勢に代えて、発光素子(４)の発光中心線を僅かな仰角を有する姿勢に配置し、反射板(５)を筐体表面に対して略平行に配置してもよい。
更に他の実施例として、反射板(５)の角度及び発光素子(４)の発光中心線の角度のそれぞれに仰角を持たせてもよい。
【図面の簡単な説明】
【００２９】
【図１】本発明に係るスライド式携帯電話機の閉じ状態を示す斜視図である。
【図２】該スライド式携帯電話機の開き状態を示す斜視図である。
【図３】図２のＡ−Ａ線に沿う断面図である。
【図４】スライド筐体とベース筐体の分解斜視図である。
【図５】図４とは異なる向きで示すスライド筐体とベース筐体の分解斜視図である。
【図６】ベース筐体の分解斜視図である。
【図７】該スライド式携帯電話機の開き状態の要部を示す断面図である。
【図８】発光素子から出射された光の進行経路を説明する図である。
【図９】従来のスライド式携帯電話機の開き状態を示す斜視図である。
【符号の説明】
【００３０】
(１)  スライド筐体
(11)  ディスプレイ
(12)  操作キー
(13)  端面
(２)  ベース筐体
(21)  操作キー
(３)  導光部材
(４)  発光素子
(５)  反射板
(６)  光反射層
【図１】
0004628407.tif 000002
【図２】
0004628407.tif 000003
【図３】
0004628407.tif 000004
【図４】
0004628407.tif 000005
【図５】
0004628407.tif 000006
【図６】
0004628407.tif 000007
【図７】
0004628407.tif 000008
【図８】
0004628407.tif 000009
【図９】
0004628407.tif 000010